(57)【要約】【課題】従来の別体構成の正面パネルを廃止して、筐体構造を上下二分割構成とした上下ケース二部品から構成し、プリント配線基板の取り付け作業性を向上させると共に、デザイン上美観性を伴う構成にする。【解決手段】上ケース形成体２は、ほぼ矩形状の平板から構成する天面板２１と天面板２１の４つの側辺部に形成した４つの立ち壁状側壁板のうち、３つをほぼ同一高さの背高立ち壁状側壁板２２ａ〜２２ｃに形成すると共に残りの一つが背高立ち壁状側壁板２２ａ〜２２ｃに対して高さ方向に背低に形成された背低立ち壁状側壁板２２ｄに構成されており、且つ、下ケース形成体３は、天面板２１に対応してほぼ矩形状の平板から構成する底面板３１と底面板３１の４つの側辺部３２ａ〜３２ｄのうち一つの側辺部３２ｄに一体に起立形成した背低起立側壁板３２ｄ−１とを有して構成した。【選択図】図２
2011003851.tif 000002
【特許請求の範囲】
【請求項１】
上下一対のケース形成体（２、３）のうち一方のケース形成体（２）は、ほぼ矩形状の平板から構成する天面板（２１）と該天面板（２１）の４つの側辺部にそれぞれ一体に起立形成した立ち壁状側壁板（２２）とで構成し、前記４つの立ち壁状側壁板（２２）のうち、３つの立ち壁状側壁板（２２）をほぼ同一高さの背高立ち壁状側壁板（２２ａ〜２２ｃ）に形成すると共に残りの一つが前記背高立ち壁状側壁板（２２ａ〜２２ｃ）に対して高さ方向に背低に形成された背低立ち壁状側壁板（２２ｄ）に構成されており、且つ、前記他方のケース形成体（３）は、前記天面板（２１）に対応してほぼ矩形状の平板から構成する底面板（３１）と該底面板（３１）の４つの側辺部（３２ａ〜３２ｄ）のうち一つの側辺部（３２ｄ）に一体に起立形成した背低起立側壁板（３２ｄ−１）とを有して構成し、前記背低立ち壁状側壁板（２２ｄ）および前記背低起立側壁板（３２ｄ−１）の互いの先端部を突き合わせた状態において、前記一対のケース形成体（２、３）を互いに重合することにより箱型の筐体（１）を組込み形成しており、かかる両ケース形成体（２、３）を箱型の筐体（１）に組み込むために、前記一方のケース形成体（２）を構成する３つの前記背高立ち壁状側壁板（２２ａ〜２２ｃ）のうち、前記背低立ち壁状側壁板（２２ｄ）に対向する背高立ち壁状側壁板（２２ｃ）の先端部に凸円弧状係合部（４ａ）を有する係合突片（４）を形成すると共に、該係合突片（４）の凸円弧状係合部（４ａ）に係合する凹円弧状係合部（５ａ）を有する係合片（５）を前記他方のケース形成体（３）における前記背低起立側壁板（３２ｄ−１）に対向する前記側辺部（３２ｂ）に形成しており、さらに、前記他方のケース形成体（３）側には電子機器を構成するプリント配線基板（８）を設置する基板設置部（９）が形成されていることを特徴とする電子機器の筐体構造。
【請求項２】
前記係合突片（４）の両側部を挟むように前記一方のケース形成体（２）における前記背低立ち壁状側壁板（２２ｄ）に対向する背高立ち壁状側壁板（２２ｃ）に前記他方のケース形成体（３）側に延在する一対のガイド突片（６）を形成すると共に、前記他方のケース形成体（３）における前記係合片（５）を挟むように一対のガイド突片受け突起部を前記他方のケース形成体（３）における前記背低起立側壁板（３２ｄ−１）に対向する前記側辺部（３２ｃ）に一対のガイド突片受け突起部（７）を形成し、前記ガイド突片（６）を前記ガイド突片受け突起部（７）に宛がい係合することによってヒンジ部を形成して、前記一方のケース形成体（２）を前記他方のケース形成体（３）に組み付ける際の両ケース形成体（２、３）の位置決めを成すように構成したことを特徴とする請求項１に記載の電子機器の筐体構造。
【請求項３】
前記係合突片（４）の凸円弧状係合部（４ａ）と前記係合片（５）の凹円弧状係合部（５ａ）とは、同半径を有するも互いに偏心させた状態で描画形成されていることを特徴とする請求項１又は２に記載の電子機器の筐体構造。
【請求項４】
前記一方のケース形成体（２）の前記背低立ち壁状側壁板（２２ｄ）の両側部にそれぞれ連なる他の２つの背高立ち壁状側壁板（２２ａ、２２ｂ）および前記他方のケース形成体（３）における背低起立側壁板（３２ｄ−１）の両側部にそれぞれ連なる他の２つの側辺部（３２ａ、３２ｂ）のうち一方に、位置決め突片（１０）を形成すると共に、他方に、該位置決め突片（１０）が嵌合する位置決め突片嵌合部（１１）を形成して、該位置決め突片嵌合部（１１）に前記位置決め突片（１０）が嵌合するように構成したことを特徴とする請求項１ないし３の何れか位置に記載の電子機器の筐体構造。
【発明の詳細な説明】
【技術分野】
【０００１】
本発明は、電話回線を使用して情報通信を行う通信機器等の電子機器の筐体構造に関する。
【背景技術】
【０００２】
従来のこの種の電子機器の筐体構造として、例えば次に記載の電子機器の筐体構造が知られている。すなわち、かかる筐体構造は、上ケースと下ケースとを重合することによって箱型の筐体を形成し、前記上ケース及び下ケースの正面側に切欠き部を形成することによって前記筐体の正面側に開口部を形成して、該開口部に正面パネルを組込み、さらに、前記上ケースおよび下ケースのうち一方のケースにおける左右側面壁の一方に、係合突起を形成すると共に、該係合突起に対応して他方のケースの左右側壁の一方に、係合突起に係合する係合凹部を形成し、該係合凹部に前記係合突起を係合させながら、該係合凹部及び係合突起の係合部をヒンジ中心として、前記一方のケースに対して他方のケースを回動させて、前記一方のケースの左右側壁のうち他方側を他方のケースの左右側壁のうち他方側に当接させ、この過程において前記開口部における前記上ケースおよび下ケースにより前記正面パネルを挟合して前記開口部に前記正面パネルを組み込み、前記上ケースおよび下ケースにおける左右側壁の他方側を締着具により螺着して構成したものである（特許文献１参照）。
【先行技術文献】
【特許文献】
【０００３】
【特許文献１】特開２００６−１９５７４号公報
【０００４】
かかる従来の電子機器の筐体構造は、係合凹部に係合突起を係合させながら、係合凹部及び係合突起の係合部をヒンジ中心として、一方のケースに対して他方のケースを回動させて、一方のケースの左右側壁のうち他方の側面側の端面を他方のケースの左右側面のうち他方の側面側の端面に当接させ、この過程において開口部における上ケースおよび下ケースにより正面パネルを挟合して開口部に正面パネルを組み込む場合、係合突起における係合凹部の係合部を凹円弧状に形成すると共に、係合凹部に係合する係合突起を凸円弧状に形成したために、下ケースに対する上ケースが、係合突起と係合凹部との係合関係を保持したまま、大きく回動できることになって、結果的に、正面パネルを組み込むための開口部面積を大きくすることができ、正面パネルとして例えば筐体の正面略いっぱいの大きさに形成することによってＬＥＤや液晶等の情報表示量を満載した大型の正面パネルを採用できるとともに、係合突起と係合凹部との引っ掛かり量を大きく取れて落下等の不用意な衝撃に対して容易に外れることがなく、しかも少ないねじ本数による上下ケースの取着を実現することができるものである。
【発明の概要】
【発明が解決しようとする課題】
【０００５】
従って、上記従来の電子機器の筐体構造は、箱型の筐体を構成するために、上ケースおよび下ケースと共に、筐体側の正面側に形成した開口部を閉塞するための正面パネルをも必要となって、部品点数が多く、これに伴い組立て工数も嵩むことになってしまう。
【０００６】
そこで、正面パネルを廃止するために、例えば、上ケースおよび下ケースの各側辺部に全周に渡ってそれぞれ側壁部を形成して、かかる側壁部同士を互いに突合せることによって構成するようにして、当該側面壁の一部により前記正面パネルを構成することが考えられる。
【０００７】
かかる構成を採用することによって、上ケース及び下ケースは、共に各側面部が共に上下二分割構成された側壁部によって取囲まれた一面開口部を有するケース体として構成されることになる。
【０００８】
この結果、通常、上ケース又は下ケース内には、電子機器を構成するためのプリント配線基板がねじ等の締着具を用いて設置されることになるが、かかるプリント配線基板は、筐体を上下ケースを重合することにより構成していることから、上ケース又は下ケースの一面開口部より外側にはみ出させることはできず、上ケース又は下ケースの側壁部より内部側に引っ込めた状態で設置する必要となる。
【０００９】
従って、プリント配線基板を上ケース又は下ケース内に設置する際に、プリント配線基板を所定の位置に位置決めする場合やその後締着具の取り付け作業を行う場合に、上ケース又は下ケースの側壁部が作業者の手の邪魔となって、取り付け作業の妨げとなり、設置作業性を劣化させてしまうことになる。
【００１０】
又、筐体の側面壁は、上ケースおよび下ケースの側壁部を突き合わせることによって構成される結果、特にＬＥＤや液晶等の情報表示部とする正面パネル部に相当する側面壁において、上下中央部に二分割線が形成されることになって、デザイン上美観を損ねてしまうことにもなってしまう。
【００１１】
そこで、本発明は、かかる点に鑑み、従来の別体構成の正面パネルを廃止して、筐体構造を上下二分割構成とした上下両ケース形成体の２部品のみから構成するようにしても、プリント配線基板の取り付け作業性を向上させると共に、デザイン上美観性を伴った電子機器の筐体構造を提供することを目的としている。
【課題を解決するための手段】
【００１２】
上記目的を達成するために、本発明に係る電子機器の筐体構造は、上下一対のケース形成体のうち一方のケース形成体が、ほぼ矩形状の平板から構成する天面板と該天面板の４つの側辺部にそれぞれ一体に起立形成した立ち壁状側壁板とで構成し、前記４つの立ち壁状側壁板のうち、３つの立ち壁状側壁板をほぼ同一高さの背高立ち壁状側壁板に形成すると共に残りの一つが前記背高立ち壁状側壁板に対して高さ方向に背低に形成された背低立ち壁状側壁板に構成されており、且つ、前記他方のケース形成体は、前記天面板に対応してほぼ矩形状の平板から構成する底面板と該底面板の４つの側辺部のうち一つの側辺部に一体に起立形成した背低起立側壁板とを有して構成し、前記背低立ち壁状側壁板および前記背低起立側壁板の互いの先端部を突き合わせた状態において、前記一対のケース形成体を互いに重合することにより箱型の筐体を組込み形成しており、かかる両ケース形成体を箱型の筐体に組み込むために、前記一方のケース形成体を構成する３つの前記背高立ち壁状側壁板のうち、前記背低立ち壁状側壁板に対向する背高立ち壁状側壁板の先端部に凸円弧状係合部を有する係合突片を形成すると共に、該係合突片の凸円弧状係合部が係合する凹円弧状係合部を有する係合片を前記他方ケース形成体における前記背低起立側壁板に対向する前記側辺部に形成しており、さらに、前記他方のケース形成体側には電子機器を構成するプリント配線基板を設置する基板設置部が形成されていることを特徴とする。
【００１３】
かかる構成により、筐体は上下両ケース形成体の２部品で構成し、プリント配線基板が他方のケース形成体の基板設置部に設置されるのであるが、かかる他方のケース形成体は、平板で構成された底面板の４つの側辺部のうち一つの側辺部にのみ背低起立側壁板が形成されているだけで、残りの側辺部には背低起立側壁板のような突起物は存在しないことから、作業者は、プリント配線基板を基板設置部に設置する作業を円滑に行うことができ、作業工数の低減を期待できることになる。
【００１４】
且つ、一方のケース形成体の４つの立ち壁側壁板のうち、３つの立ち壁側壁板は、背高立ち壁状側壁板に形成されていて、他方のケース形成体の平板から構成する底面板に直接重合することになることから、３つの背高立ち壁状側壁板のうち例えば一つを選択して、ＬＥＤや液晶等の情報表示部を設置するための正面パネルとして構成すれば、当該正面パネルに分割線などが形成されることがなく、デザイン上美感性に優れていることになる。
【００１５】
しかも、一方のケース形成体の背低立ち壁状側壁板と他方のケース形成体の背低起立側壁板とは互いに突き合わされた状態となって、筐体の一つの側辺部に分割線が形成されてしまうことになるが、かかる分割線上に電子機器を構成するコネクター類やスイッチ類を設置するようにすることにより、さほどデザイン上の美観性を損ねないように構成することができる。
【００１６】
又、本発明は、前記発明において、前記係合突片の両側部を挟むように前記一方のケース形成体における前記背低立ち壁状側壁板に対向する背高立ち壁状側壁板に前記他方のケース形成体側に突出する一対のガイド突片を形成すると共に、前記他方のケース形成体における前記係合片を挟むように一対のガイド突片受け突起部を前記背低起立側壁板に対向する前記側辺部に形成し、前記ガイド突片を前記ガイド突片受け突起部に宛がい係合することによってヒンジ部を形成して、前記一方のケース形成体を前記他方のケース形成体に組み付ける際の両ケース形成体の位置決めを成すように構成したことを特徴とする。
【００１７】
かかる構成により、両ケース形成体を互いに組み込む際に、係合突片および係合片を形成した上で、係合突片を挟んで一対のガイド突片を他方のケース形成体側に突出するように一方のケース形成体に形成すると共に、他方のケース形成体における背低起立側壁板に対向する側辺部に係合片を挟むように設けたガイド突片受け突起部を形成したことから、係合片に係合突片を係合させる前の段階より、ガイド突片をガイド突片受け突起部に宛がい係合させて、両ケース形成体同士の位置決めを行っていることから、他方のケース形成体３における背低起立側壁板を形成した以外の側辺部に側壁板がなくても、両ケース形成体の位置決めが容易にでき、係合片に係合突片を係合させる作業を簡単且つ正確に行うことができる。
【００１８】
また、本発明は、上記発明において、前記係合片の凹円弧状部と前記係合突片の凸円弧状部とは、同半径を有するも互いに偏心させた状態で描画形成されていることを特徴とする。
【００１９】
かかる構成により、両ケース形成体を組み付けるべく、係合片に係合突片を係合する過程においては、係合突片の凸円弧状部と係合片の凹円弧状部とは、同径であるが偏心させた状態で描画形成されていることから、凸円弧状部と凹円弧状部との間に隙間が形成されることになって、容易に係合片に係合突片を係合させることができる。
【００２０】
さらに又、本発明は、上記発明において、前記一方のケース形成体の前記背低立ち壁状側壁板の両側部にそれぞれ連なる他の２つの背高立ち壁状側壁板および前記他方のケース形成体における背低起立側壁板の両側部にそれぞれ連なる他の２つの側辺部のうち一方に、位置決め突片を形成すると共に、他方に、該位置決め突片が嵌合する位置決め突片嵌合部を形成して、該位置決め突片嵌合部に前記位置決め突片が嵌合するように構成したことを特徴とする。
【００２１】
かかる構成により、位置決め突片が、位置決め嵌合部に嵌合することによって、両ケース形成体は、固定的な位置決め構成になされた状態で組み付けられることになり、外力が相対的に加わっても互いにずれることはなく、筐体内に収容されたプリント配線基板等の電子機器部品がずれてしまうことや度重なるずれによる筐体内の配線を引っ張ったり切断させるようなことない。
【発明の効果】
【００２２】
上記のように構成する本発明は、筐体を上下両ケース形成体の２部品で構成し、プリント配線基板が他方のケース形成体の基板設置部に設置されるのであるが、かかる他方のケース形成体が、平板で構成された底面板の４つの側辺部のうち一つの側辺部にのみ背低起立側壁板が形成されているだけで、残りの側辺部には背低起立側壁板のような突起物は存在しないことから、作業者は、プリント配線基板を基板設置部に設置する作業を円滑に行うことができ、作業工数の低減を期待できることになる。
【００２３】
又、本発明は、一方のケース形成体の４つの立ち壁側壁板のうち、３つの立ち壁側壁板は、背高立ち壁状側壁板に形成されていて、他方のケースの平板から構成する底面板に直接重合することになることから、３つの背高立ち壁状側壁板のうち例えば一つを選択して、ＬＥＤや液晶等の情報表示部を設置するための正面パネルとして構成すれば、当該正面パネルに分割線などが形成されることがなく、デザイン上美感性に優れていることになる。
【００２４】
しかも、一方のケース形成体の背低立ち壁状側壁板と他方のケース形成体の背低起立側壁板とは互いに突き合わされた状態となって、筐体の一つの側辺部に分割線が形成されてしまうことになるが、かかる分割線上に電子機器を構成するコネクター類やスイッチ類を設置するようにすることにより、さほどデザイン上の美観性を損ねないように構成することができる。
【図面の簡単な説明】
【００２５】
【図１】本発明に係る実施例を採用した電子機器の筐体構造を上ケース形成体を上にして描画した斜視図である。
【図２】同じく下ケース形成体を上にして描画した斜視図である。
【図３】同じく上ケース形成体の天面板側から描画した平面図である。
【図４】同じく下ケース形成体の底面板側から描画した平面図である。
【図５】同じく図３のＡ−Ａ断面図である。
【図６】同じく図４のＢ−Ｂ断面図である。
【図７】同じく図６のＤ円内を拡大して描画した図である。
【図８】同じく図４のＣ−Ｃ断面図である。
【図９】同じく図６のＥ−Ｅ円内を拡大して描画した図である。
【図１０】同じく図６のＦ−Ｆ円内を拡大して描画した図である。
【図１１】同じく上ケース形成体から一部破断して描画した斜視図である。
【図１２】同じく図１１のＧ円内を拡大して描画した図である。
【図１３】同じく図２のＨ矢視図である。
【図１４】同じく図１３のＩ−Ｉ断面図である。
【図１５】同じく図１４のＪ円内を拡大して描画した図である。
【図１６】同じく上ケース形成体と下ケース形成体とを組み込む途中過程におけるＢ−Ｂ断面図である。
【図１７】同じく図１６のＫ円内を拡大して描画した図である。
【図１８】同じく上ケースと下ケース形成体とを組み込む途中過程におけるＣ−Ｃ断面図である。
【図１９】同じく図１２のＨ円内を拡大して描画した図である。
【図２０】同じく上ケース形成体と下ケース形成体とを組み込む途中過程における斜視図である。
【図２１】同じく図１５のＩ円内を拡大して描画した斜視図である。
【図２２】同じくスタンドを用いて縦置き使用状態における上面ケース形成体および上面側から描画した斜視図である。
【発明を実施するための形態】
【００２６】
本発明に係る電子機器の筐体構造の実施例は、筐体構造を、従来の別体構成の正面パネルを廃止して、上下二分割構成とした上下ケースの二部品から構成するようにしても、プリント配線基板の取り付け作業性を向上させると共に、デザイン上美観性を伴ったものとして構成したものである。
【００２７】
次に、図１乃至図１５を用いて、本発明を実施するための一の実施例について説明する。
【００２８】
通信機器等の電子機器を収容する筐体１は、上下一対のケース形成体２、３により構成している。
【００２９】
一方のケース形成体を構成する上ケース形成体２は、ほぼ矩形状の平板から構成する天面板２１と、天面板２１の４つの側辺部にそれぞれ一体に起立形成した立ち壁状側壁板２２とで構成している。４つの立ち壁状側壁板２２のうち、３つの立ち壁状側壁板２２はほぼ同一高さの背高立ち壁状側壁板２２ａ〜２２ｃに形成すると共に、残りの一つの立ち壁状側壁板２２は、背高立ち壁状側壁板２２ａ〜２２ｃに対して高さ方向に背低に形成された背低立ち壁状側壁板２２ｄに形成されている。
【００３０】
天面板２１には、筐体１の内部に発生した熱を放出するための天面板側通気孔１２が複数条形成されている。
【００３１】
背低立ち壁状側壁板２２ｄの先端部に適宜切欠き部を形成することによって、電子機器を構成する例えばＬＡＮコネクター、回線コネクター或いは電源コネクター等のコネクター類１３等が設置されており、又、背低立ち壁状側壁板２２ｄの両端部には、他方のケース形成体である下ケース形成体３側に突出した抱き込み片部２２ｄ−１が形成されていて、背低立ち壁状側壁板２２ｄに隣接する背高立ち壁状側壁板２２ａ、２２ｂに連接交差している。
【００３２】
背低立ち壁状側壁板２２ｄに隣接する背高立ち壁状側壁板２２ａおよび２２ｂには、やはり筐体１の内部に発生した熱を放出するための側壁側通気孔１４が形成されている。側壁側通気孔１４は、図１２あるいは図１５に示すとおり、外気からの塵埃等が筐体１内に濫りに入り込まないように迷路構成（図１５の矢印参照）にしてある。
【００３３】
背高立ち壁状側壁板２２ａには、側壁側通気孔１４を分断するように、一対の略Ｌ字状のスタンド用嵌合溝１５が形成されており、スタンド用嵌合溝１５は例えば図２２に示す縦置きにする際のスタンド３０が嵌合するように構成されている。
【００３４】
さらに、背高立ち壁状側壁板２２ｂには、不図示の無線カードを筐体１内に挿入設置するためのカード挿入孔１６が穿設されている。
【００３５】
上ケース形成体２における３つの背高立ち壁状側壁板２２ａ〜２２ｃのうち、背低立ち壁状側壁板２２ｄに対向している背高立ち壁状側壁板２２ｃは、天面板２１側に連接位置する傾斜面部２２ｃ−１と、傾斜面部２２ｃ−１に一体連接して下ケース形成体３における背低起立側壁板３２ｃ−１に対向する側辺部３２ｃ側に当接する直立壁２２ｃ−２とにより構成して、正面パネル部となっている。
【００３６】
傾斜面部２２ｃ−１には、電源の接続有無等を表示する複数のＬＥＤ表示灯２２ｃ−３が設置されているとともに、透明板などに閉塞された表示窓部２２ｃ−４が設けられており、表示窓部２２ｃ−４は天面板２１にまで掛かるように延在形成されている。
【００３７】
さらに、直立壁２２ｃ−２の両側先端内壁部には、図７に示すように、外向き面が凸円弧状係合部４ａに形成された係合突片４が形成され、また、図９或いは図２１に示すように係合突片４の両側部において、これを挟むように、背高立ち壁状側壁板２２ｃに下ケース形成体３側に延在する一対のガイド突片６が形成されており、ガイド突片６の外向き面は、それぞれ凹円弧状のガイド面６ａに形成されている。
【００３８】
下ケース形成体３は、天面板２１に対応してほぼ矩形状の平板から構成する底面板３１と、底面板３１の４つの側辺部３２ａ〜３２ｄのうち、上ケース形成体２の背低立ち壁状側壁板２２ｄ側に位置する一つの側辺部３２ｄには、背低起立側壁板３２ｄ−１が起立形成されており、背低起立側壁板３２ｄ−１の両端部を切欠くことによって、抱込み片部２２ｄ−１が抱込み挿入される切欠き部３２ｄ−２が形成されている。
【００３９】
下ケース形成体３の３つの側辺部３２ａ〜３２ｃおよび切欠き部３２ｄ−２を含む背低起立側壁板３２ｄ−１の先端には全周に渡って、図５に示すように、側面視Ｌ字状の引っ掛け部３２−１が形成されており、引っ掛け部３２−１は、上ケース形成体２の背高立ち壁状側壁板２２ａ〜２２ｃおよび背低立ち壁状側壁板２２ｄの先端部に形成した引っ掛け突部２２−１に係合して、立ち壁状側壁板２２と側辺部３２ａ〜３２ｃおよび背低起立側壁板３２ｄ−１とが面一に連続するように構成されている。
【００４０】
下ケース形成体３における背低起立側壁板３２ｄ−１に対向する側辺部３２ｃには、係合突片４の凸円弧状係合部４ａが係合する凹円弧状係合部５ａを有する係合片５が、互いに離間対向する状態で３片並んで形成されているおり、かかる３片の係合片５は、図１２に示すとおり内端部が互いに連結片部５ｂにより連結されている。
【００４１】
係合突片４の凸円弧状係合部４ａと係合片５の凹円弧状係合部５ａとは、互いに同一半径を有するも互いに偏心させた状態により描画形成されている。
【００４２】
さらに、図９および図２１に示すように、上ケース形成体２側のガイド突片６に対応して、下ケース形成体３の側辺部３２ｃには、３片の係合片５のうち互いに外側に存する２つの係合片５を挟むように、ガイド突片受け突起部７が上ケース形成体２側に突出するように形成されており、ガイド突片受け突起部７には、ガイド面６ａに係合し協働してヒンジ部を構成する凸円弧状のガイド面部７ａが形成されている。
【００４３】
下ケース形成体３の底面板３１の内壁には、複数個の起立ボス部９ａが形成されており、起立ボス部９ａの先端面は、プリント配線基板８を設置するための基板設置部９を構成している。
【００４４】
基板設置部９上に載置されたプリント配線基板８は、いくつかの起立ボス部９ａに形成された取付け孔に締着具としてのボルト９ｂを挿着することにより、ボルト９ｂと基板設置部９との間で、挟着設置されることになる。さらに、下ケース形成体３と上ケース形成体２とを組込んだ場合、プリント配線基板８は、上ケース形成体２の内壁に起立形成した押さえボス１７によって下ケース形成体３側に押付けられている。
【００４５】
又、下ケース形成体３の底面板３１における背低起立側壁板３２ｄ−１に寄った位置において、互いに離間した状態の一対のケース組付けボス部１８が形成されており、ケース組付けボス部１８には、組付けネジ１９が螺合するネジ取り付け孔１８ａが形成されており、組付けネジ１９は、プリント配線基板８を貫通して、上ケース形成体２における天面板２１の内面に起立形成したケース組付けボス部１８に螺着することにより、上下両ケース形成体２、３を組付け固定している（図６参照）。
【００４６】
さらに、図８および図１０に示すように、下ケース形成体３における背低起立側壁板３２ｄ−１に隣り合い連なる他の２つの側辺部３２ａ、３２ｂに上ケース形成体２側に突出する位置決め突片１０を形成すると共に、上ケース形成体２における背低立ち壁状側壁板２２ｄに隣り合い連なる他の２つの背高立ち壁状側壁板２２ａ、２２ｂには、位置決め突片１０が嵌合する位置決め突片嵌合部１１が形成されており、位置決め突片嵌合部１１に位置決め突片１０を嵌合することによって、組み込み後の上下両ケース形成体２および３が互いにズレを起こさず位置決めされるように構成されている。
【００４７】
なお、位置決め突片１０は、背高立ち壁状側壁板２２ａ、２２ｂに形成すると共に、位置決め突片嵌合部１１は、側辺部３２ａ、３２ｂに形成するようにしてもよい。
【００４８】
上記のように構成する本発明に係る実施例において、下ケース形成体３に上ケース形成体２を組み込んで、筐体１を組み立てる場合、先ず、下ケース形成体３の基板設置部９にプリント配線基板８を載置し、起立ボス部９ａに設けた取付け孔に、プリント配線基板８に挿通させた締着具としてのボルト９ｂを挿着することにより、プリント配線基板８をボルト９ｂと基板設置部９との間で挟着設置しておく。
【００４９】
次に、プリント配線基板８が設置された下ケース形成体３を例えば係合片５が形成してある側辺部３２ｂ側を作業者の手前側に位置させた状態で不図示の作業テーブル等に載置しておく。
【００５０】
次に、下ケース形成体３の側辺部３２ｂに上ケース形成体２における背高立ち壁状側壁板２２ｃを対向させ、背高立ち壁状側壁板２２ｃに設けたガイド突片６のガイド面６ａをガイド突片受け突起部７のガイド面部７ａに宛がい係合して、上下両ケース形成体２、３同士の位置決めを行う（図１９参照）。
【００５１】
かかる状態で、下ケース形成体３に対して上ケース形成体を、背低立ち壁状側壁板２２ｄを背低起立側壁板３２ｄ−１に対して近付けるように、図１６の矢印方向に回転させる。このとき、ガイド面６ａとガイド面部７ａとの係合部が、下ケース形成体３に対する上ケース形成体２を位置決めした状態で回転させるヒンジ部を構成し、図１８に示すように、上ケース形成体２側の係合突片４の凸円弧状係合部４ａが係合片５の凹円弧状係合部５ａに、両者間に隙間Ｓが形成された状態で係合して行き、最終的には、凸円弧状係合部４ａと凹円弧状係合部５ａとは、又、ガイド突片６とガイド突片受け突起部７とは、図８および図９に示す最終係合状態となり，この状態で、下ケース形成体３と上ケース形成体２とが重合した状態で組み付けられて、筐体１を構成することになる。
【００５２】
このとき、上ケース形成体２側の位置決め突片嵌合部１１に下ケース形成体３側の位置決め突片１０が嵌合して、上ケース形成体２と下ケース形成体３とは、外力が加わっても互いに位置ずれしないようになっている。
【００５３】
この上で、図６に示すように、下ケース形成体３の底面板３１に貫通するようにケース組付けボス部１８に形成したネジ取り付け孔に組付けネジ１９を締着することにより、上ケース形成体２と下ケース形成体３とは固定的に組み付けられた状態で、筐体１を構成することになる。
【００５４】
このとき、図５に示すように、引っ掛け突部２２−１と引っ掛け部３２−１とが係合することによって、上ケース形成体２の背高立ち壁状側壁板２２ａ〜２２ｃおよび背低立ち壁状側壁板２２ｄと下ケース形成体３の側辺部３２ａ〜３２ｃおよび背低起立側壁板３２ｄ−１とは、それぞれ互いに段差なく連接していることになる。
【００５５】
以上のように構成する本発明の実施例においては、筐体１が上下両ケース形成体２、３の２部品で構成し、プリント配線基板８が下ケース形成体３の基板設置部９に設置されるのであるが、かかる下ケース形成体３は、平板で構成された底面板の４つの側辺部３２ａ〜３２ｄのうち一つの側辺部３２ｄにのみ背低起立側壁板３２ｄ−１が形成されているだけで、残りの側辺部３２ａ〜３２ｃには背低起立側壁板のような突起物は存在しないことから、作業者は、プリント配線基板８を基板設置部９に設置する作業を円滑に行うことができ、作業工数の低減を期待できることになる。
【００５６】
又、一対のガイド突片６を下ケース形成体３側に突出するように上ケース形成体２に形成すると共に、下ケース形成体３の側辺部３２ｃに設けた係合片５を挟むようにガイド突片受け突起部７を下ケース形成体３における背低起立側壁板３２ｄ−１に対向する側辺部３２ｃに形成し、上下両ケース形成体２、３を互いに組み込む際に、係合片５に係合突片４を係合させる前の上下両ケース形成体２、３の組付作業初期から、ガイド突片６のガイド面６ａをガイド突片受け突起部７のガイド面部７ａに宛がい係合してヒンジ部を構成して、上下両ケース形成体２、３同士の位置決めを行っていることから、下ケース形成体３における背低起立側壁板３２ｄ−１を形成した以外の側辺部３２ａ〜３２ｃに側壁板がなくても、上下両ケース形成体２、３の位置決めが容易にでき、係合片５に係合突片４を係合させる作業を簡単且つ正確に行うことができる。
【００５７】
さらに、上ケース形成体２の４つの立ち壁状側壁板２２のうち、３つの立ち壁状側壁板は、背高立ち壁状側壁板２２ａ〜２２ｃに形成されていて、下ケース形成体３の平板から構成する底面板３１に直接重合することになることから、３つの背高立ち壁状側壁板２２ａ〜２２ｃのうち例えば一つの背高立ち壁状側壁板２２ｃを選択して、ＬＥＤ表示灯２２ｃ−３等を設ける情報表示部を設置するための正面パネルとして構成することにより、当該正面パネルに分割線などが形成されることがなく、デザイン上美感性に優れていることになる。
【００５８】
しかも、上ケース形成体２の背低立ち壁状側壁板２２ｄと下ケース形成体３の背低起立側壁板３２ｃ−１とは互いに突き合わされた状態となって、筐体１の一つの側辺部に分割線が形成されてしまうことになるが、かかる分割線上に電子機器を構成するコネクター類１３や不図示のスイッチ類を設置するようにすることにより、デザイン上の美観性にさほど影響を及ぼさないようにすることができる。
【００５９】
又、かかる構成により、上下両ケース形成体２、３を組み付けるべく、係合片５に係合突片４を係合する過程においては、係合突片４の凸円弧状係合部４ａと係合片５の凹円弧状係合部５ａとは、同径であるが互いに偏心させた状態おいて描画形成されていることから、凸円弧状係合部４ａと凹円弧状係合部５ａとの間に隙間Ｓが形成されることになって、かかる隙間Ｓの存在により容易に係合片５に係合突片４を係合させることができる。
【００６０】
さらに、かかる構成により、位置決め突片１０が、位置決め突片嵌合部１１に嵌合することによって、上下両ケース形成体２、３は、組付けネジ１９による組付と相俟って固定的に組み付けられることになり、筐体１内に収容されたプリント配線基板８等の電子機器部品がずれてしまうことや度重なるずれによる筐体１内の配線を切断させるようなことを確実に防ぐことができる。
【００６１】
なお、本発明に係る実施例においては、図１に示すように、下ケース形成体３の底面板３１側をテーブル等の載置場所に載置して、横臥状態で使用することもできるが、例えば、図２２に示すように、上ケース形成体２の背高立ち壁状側壁板２２ａに形成したスタンド用嵌合溝１５にスタンド３０を嵌め込むことによって、起立状態で使用することができ、更には、下ケース形成体３の底面板３１において底面板側通気孔１２−１内に位置するように互いに離間状態で形成した一対のスタンド用嵌合溝１５−２にスタンド３０を嵌込み、スタンド３０をそのまま壁に懸架するようにすることにより、壁掛状態でも使用することができる。
【産業上の利用可能性】
【００６２】
以上説明したように、本発明は、従来の別体構成の正面パネルを廃止して、筐体構造を上下二分割構成とした上下ケース二部品から構成するようにしても、プリント配線基板の取り付け作業性を向上させると共に、デザイン上美観性を伴った電子機器の筐体構造を提供することができることから、電話回線を使用して情報通信を行う通信機器等の電子機器の筐体構造等に好適である。
【符号の説明】
【００６３】
１    筐体
２    上ケース形成体（一方のケース形成体）
２１  天面板
２２  立ち壁状側壁板
２２ａ〜２２ｃ  背高立ち壁状側壁板
２２ｄ  背低立ち壁状側壁板
３    下ケース形成体（他方のケース形成体）
３１  底面板
３２ａ〜３２ｄ  側辺部
３２ｄ−１  背低起立側壁板
４    係合突片
４ａ  凸円弧状係合部
５    係合片
５ａ  凹円弧状係合部
６    ガイド突片
７    ガイド突片受け突起部
８    プリント配線基板
９    基板設置部
【図１】
2011003851.tif 000003
【図２】
2011003851.tif 000004
【図３】
2011003851.tif 000005
【図４】
2011003851.tif 000006
【図５】
2011003851.tif 000007
【図６】
2011003851.tif 000008
【図７】
2011003851.tif 000009
【図８】
2011003851.tif 000010
【図９】
2011003851.tif 000011
【図１０】
2011003851.tif 000012
【図１１】
2011003851.tif 000013
【図１２】
2011003851.tif 000014
【図１３】
2011003851.tif 000015
【図１４】
2011003851.tif 000016
【図１５】
2011003851.tif 000017
【図１６】
2011003851.tif 000018
【図１７】
2011003851.tif 000019
【図１８】
2011003851.tif 000020
【図１９】
2011003851.tif 000021
【図２０】
2011003851.tif 000022
【図２１】
2011003851.tif 000023
【図２２】
2011003851.tif 000024